(57)【要約】【課題】簡単な構成でパンチの固定が可能な低コスト金型装置を提供することを目的とする。【解決手段】基部にテーパ部を有したパンチ３２と、パンチ３２を挿入して固着するパンチ取り付け孔３４０を有するパンチプレート３４からなる上型４１ａと、上型４１ａと嵌合する下型４１ｂとを備え、パンチ取り付け孔３４０の一部にパンチのテーパ部３２ｂに対応するようにパンチ取り付け孔のテーパ部３４ａを設け、パンチのテーパ部３２ｂとパンチ取り付け孔のテーパ部３４ａが合致するようにパンチ３２をパンチプレート３４に挿入固着したものであり、パンチ３２とパンチプレート３４の固着部分を平面状に加工したテーパ部で形成するだけなので、複雑な加工が不要となり金型装置の低コスト化を実現できる。【選択図】図１
2006212652.tif 000002
【特許請求の範囲】
【請求項１】
基部にテーパ部を有したパンチと、
前記パンチを挿入して固着するパンチ取り付け孔を有するパンチプレートと、からなる上型と、
前記上型と嵌合する下型とを備え、
前記パンチ取り付け孔の一部に前記パンチのテーパ部に対応するようにテーパ部を設け、前記パンチのテーパ部と前記パンチ取り付け孔のテーパ部が合致するように前記パンチを前記パンチプレートに挿入固着した金型装置。
【請求項２】
パンチ取り付け孔のテーパ部はパンチプレートの水平面から９０度より小さい角度となるように形成した請求項１に記載の金型装置。
【発明の詳細な説明】
【技術分野】
【０００１】
本発明は、金型のパンチを固定する金型装置に関するものである。
【背景技術】
【０００２】
従来の金型装置でパンチを上型のパンチプレートに取り付ける場合、パンチを固定するためにツバ止め法または止め板法等の金型構成が用いられていた。これら従来の金型装置の要部断面図を図２、図３にそれぞれ示す。
【０００３】
図２において、被加工体１は帯状の金属材からなる。図２（ａ）に示すパンチ２は鋼材からなり、下端に被加工体１を所定の形状に加工するための加工部３を設けている。
【０００４】
パンチ２はパンチプレート４に設けたパンチ取り付け孔４ａに挿入されるが、その際パンチ２の上部に設けたツバ部２ａがパンチプレート４と上バッキングプレート５で挟み込まれるように挿入して固定している。
【０００５】
パンチホルダー６は上バッキングプレート５の上面に密着固定されている。材料押さえプレート７はパンチ２に設けた加工部３を挿通する材料押さえプレート孔７ａを有する。
【０００６】
材料押さえプレート７の上面には吊りボルト８の下先端が固着されている。
【０００７】
吊りボルト８はパンチプレート４および上バッキングプレート５を連通した挿通孔４ｂの内部を上下自在に移動する。また、吊りボルト８の上端部はパンチホルダー６に設けられたパンチホルダー孔６ａの内部に突出している。
【０００８】
材料押さえプレート７はパンチホルダー孔６ａの内部に配設した圧縮バネ９と止めネジ１０により吊りボルト８を介して下方向に加圧されている。
【０００９】
以上のようにして上型１１ａが構成されている。
【００１０】
次に図２（ｂ）に示す下型１１ｂについて説明する。
【００１１】
ダイ１２は、その上端部でパンチ２の加工部３と対向した位置にダイ加工部１３が設けられている。
【００１２】
ダイ１２はダイプレート１４に固定されており、その下面には下バッキングプレート１５が密着固定されている。
【００１３】
下バッキングプレート１５の下面にはダイホルダー１６が密着固定されている。
【００１４】
このようにして構成された上型１１ａおよび下型１１ｂからなる金型装置は、パンチホルダー６の上下移動動作により被加工体１を所定の形状に加工する。
【００１５】
図３の金型装置の場合は、図３（ａ）の上型１１ａにおいてパンチ２の軸中間部の一部に凹部分１７の加工を行い、そこに止め板１８をビス１８ａにて取り付ける。パンチ２の上端軸部１９をパンチプレート４のパンチ取り付け孔４ａに挿入固着し、止め板１８とバッキングプレート５で挟み込むことによりパンチ２をパンチプレート４に取り付けた構成のものである。
【００１６】
この金型装置の動作は図２の場合と同様である。
【００１７】
なお、本出願に関する先行技術文献情報としては、例えば特許文献１が知られている。
【特許文献１】特公昭５５−２２１６８号公報
【発明の開示】
【発明が解決しようとする課題】
【００１８】
しかしながら、図２に示す従来の金型装置ではパンチ２に一体に設けられたツバ部２ａを高精度に加工する必要があり、金型装置が高コストとなる。また、図３に示す従来の金型装置では、止め板１８がパンチ２に対し別体となるため、両者を高精度に固着するために極めて精度のよい加工が必要となり、図２の金型装置と同様に高コストになるという課題を有していた。
【００１９】
本発明は、前記従来の課題を解決するもので、簡単な構成でパンチの固定ができ、低コストを実現する金型装置を提供することを目的とする。
【課題を解決するための手段】
【００２０】
前記従来の課題を解決するために、本発明の金型装置は、基部にテーパ部を有したパンチと、前記パンチを挿入して固着するパンチ取り付け孔を有するパンチプレートからなる上型と、前記上型と嵌合する下型とを備え、前記パンチ取り付け孔の一部に前記パンチのテーパ部に対応するようにテーパ部を設け、前記パンチのテーパ部と前記パンチ取り付け孔のテーパ部が合致するように前記パンチを前記パンチプレートに挿入固着したものである。
【００２１】
本構成によってツバ部を高精度に加工する必要がなくなり、また止め板が不要となる。
【発明の効果】
【００２２】
本発明の金型装置によれば、パンチの基部に平面状のテーパ部を設けるだけなので、ツバ部や止め板が不要な簡単な構造となり、金型装置の低コスト化を実現することができる。
【発明を実施するための最良の形態】
【００２３】
以下、本発明を実施するための最良の形態について、図面を参照しながら説明する。
【００２４】
（実施の形態）
図１は本発明の実施の形態における金型装置の要部断面図であり、（ａ）は上型を、（ｂ）は下型をそれぞれ示す。
【００２５】
図１（ａ）においてパンチ３２は鋼材からなり、その先端には被加工体１を所定の形状に加工するための加工部３３が設けられている。また、パンチ３２の基部３２ａにはパンチのテーパ部３２ｂが加工されている。
【００２６】
パンチ３２は鋼製の角材を切削することにより作製されており、その際角材の一面の一部を斜めに切削することにより極めて容易にパンチのテーパ部３２ｂを形成することができる。
【００２７】
パンチ３２はパンチプレート３４に設けたパンチ取り付け孔３４０に挿入固着されているが、その際パンチ取り付け孔３４０の一部にはパンチのテーパ部３２ｂと対応するように形成したパンチ取り付け孔のテーパ部３４ａが設けられており、パンチのテーパ部３２ｂとパンチ取り付け孔のテーパ部３４ａが合致するようにパンチ３２がパンチプレート３４に挿入固着されている。
【００２８】
ここで、パンチ取り付け孔のテーパ部３４ａはパンチプレート３４の水平面から９０度より小さくなるような角度（図１（ａ）のＡで示す）にしてある。これにより、パンチ３２のパンチプレート３４への挿入時の落下を防止できる。
【００２９】
パンチプレート３４の上面には上バッキングプレート３５が密着固定されている。
【００３０】
上バッキングプレート３５の上面にはパンチホルダー３６が密着固定されている。
【００３１】
被加工部１の上面を押さえる材料押さえプレート３７には加工部３３が挿通できる材料押さえプレート孔３７ａを有している。
【００３２】
材料押さえプレート３７の上面には吊りボルト３８の下端部が固着されている。
【００３３】
吊りボルト３８の本体部は、パンチプレート３４および上バッキングプレート３５を連通した挿通孔３４ｂの内部を上下自在に移動する。また、吊りボルト３８の上端部は上バッキングプレート３５の上面で規制されているので、材料押さえプレート３７を垂直方向の所定高さに保持している。
【００３４】
パンチホルダー３６に設けたパンチホルダー孔３６ａの内部には圧縮バネ３９が配設されており、その上端は止めネジ４０によりパンチホルダー３６に保持されている。また、圧縮バネ３９の下端は吊りボルト３８の上面に当接しており、吊りボルト３８を下方向に加圧している。
【００３５】
以上の構成で上型４１ａが形成されている。
【００３６】
次に図１（ｂ）に示す下型４１ｂについて説明する。
【００３７】
ダイ４２は、その上端部でパンチ３２の加工部３３と対向した位置にダイ加工部４３が設けられている。
【００３８】
ダイ４２はダイプレート４４に固定されており、その下面には下バッキングプレート４５が密着固定されている。
【００３９】
下バッキングプレート４５の下面にはダイホルダー４６が密着固定されている。
【００４０】
以上の構成で下型４１ｂが形成されている。
【００４１】
このような金型装置の動作は、従来の技術と同様に、パンチホルダー３６の上下移動により上型と下型が嵌合することで被加工体１を所定の形状に加工することができる。
【００４２】
以上の構成により、パンチのテーパ部３２ｂとパンチ取り付け孔のテーパ部３４ａが全域に渡って当接することで、パンチ３２をパンチプレート３４に固着している。パンチのテーパ部３２ｂとパンチ取り付け孔のテーパ部３４ａはいずれも斜めに切削した平面で形成できるので、パンチ３２にツバ部を加工したり、パンチ３２を取り付けるための止め板を用いる必要がなく、極めて簡単な構成の低コストな金型装置を得ることができる。
【産業上の利用可能性】
【００４３】
本発明にかかる金型装置は、加工が容易なパンチおよびパンチプレートで構成できるので、低コストにパンチを固定できる金型装置等として有用である。
【図面の簡単な説明】
【００４４】
【図１】本発明の実施の形態における金型装置の要部断面図で、（ａ）上型を示す要部断面図、（ｂ）下型を示す要部断面図
【図２】従来の第１の金型装置の要部断面図で、（ａ）上型を示す要部断面図、（ｂ）下型を示す要部断面図
【図３】従来の第２の金型装置の要部断面図で、（ａ）上型を示す要部断面図、（ｂ）下型を示す要部断面図
【符号の説明】
【００４５】
１  被加工体
３２  パンチ
３２ａ  基部
３２ｂ  パンチのテーパ部
３３  加工部
３４  パンチプレート
３４ａ  パンチ取り付け孔のテーパ部
３４ｂ  挿通孔
３５  上バッキングプレート
３６  パンチホルダー
３６ａ  パンチホルダー孔
３７  材料押さえプレート
３７ａ  材料押さえプレート孔
３８  吊りボルト
３９  圧縮バネ
４０  止めネジ
４１ａ  上型
４１ｂ  下型
４２  ダイ
４３  ダイ加工部
４４  ダイプレート
４５  下バッキングプレート
４６  ダイホルダー
３４０  パンチ取り付け孔
【図１】
2006212652.tif 000003
【図２】
2006212652.tif 000004
【図３】
2006212652.tif 000005